(57)【要約】【課題】放射線計測装置の密閉状態を解くことなく、内部部品が健全であるかを確認できる放射性物質管理施設用電気装置を提供すること。【解決手段】放射性物質管理施設用電気装置１０は、放射性物質管理施設に配置された筐体５０と、筐体５０の内部空間５０ａに配置された電子機器２１と、筐体５０の内部空間５０ａに配置され、筐体５０の内部空間５０ａの湿気を吸収する湿気吸収体２５と、筐体５０の内部空間５０ａに配置され、筐体５０の内部空間５０ａの湿度を検出する湿度センサー部２６と、湿度センサー部２６が検出した湿度のデータを表示する表示部４３とを備える。【選択図】図１
2011196875.tif 000002
【特許請求の範囲】
【請求項１】
放射性物質管理施設に配置された筐体と、
前記筐体の内部に配置された電子機器と、
前記筐体の内部に配置され、前記筐体の内部の湿気を吸収する湿気吸収体と、
前記筐体の内部に配置され、前記筐体の内部の湿度を検出する湿度センサー部と、
前記湿度センサー部が検出した湿度のデータを表示する表示部と、を備える放射性物質管理施設用電気装置。
【請求項２】
さらに、前記湿度センサー部からの測定値を記憶する記憶部と、
前記湿度センサー部からの測定値の履歴に基づいて前記湿気吸収体の交換時期を算出する制御算出部と、
前記制御算出部によって算出された交換時期を報知する報知部とを備える、請求項１に記載の放射性物質管理施設用電気装置。
【請求項３】
前記湿度センサー部の出力信号線は、前記電子機器の出力信号線が通っているケーブルを通っている、請求項２に記載の放射性物質管理施設用電気装置。
【請求項４】
前記湿度センサー部は、複数の湿度センサーで構成されており、
前記制御算出部は、前記複数の湿度センサーの計測値が互いに所定の値を越えて差があるとき、前記複数の湿度センサーのいずれかが異常であることを報知する、請求項２又は３に記載の放射性物質管理施設用電気装置。
【請求項５】
前記湿度センサー部は、３以上の湿度センサーで構成されており、
前記制御算出部は、前記３以上の湿度センサーの計測値のうち、近似した２以上の測定値を前記湿度とする、請求項２又は３に記載の放射性物質管理施設用電気装置。
【請求項６】
請求項４に記載の放射性物質管理施設用電気装置の電子機器監視方法であって、
前記筐体の内部の湿度を検出する測定工程と、
検出された湿度のデータを表示する表示工程と、
複数の湿度センサーの計測値が互いに所定の値を越えて差があるとき、前記複数の湿度センサーのいずれかが異常であることを報知する報知工程とを備える電子機器監視方法。
【請求項７】
請求項５に記載の放射性物質管理施設用電気装置の電子機器監視方法であって、
前記筐体の内部の湿度を検出する測定工程と、
前記３以上の湿度センサーの計測値のうち、近似した２以上の測定値を前記湿度として表示する表示工程とを備える電子機器監視方法。
【発明の詳細な説明】
【技術分野】
【０００１】
本発明は、放射線計測装置の密閉状態を解くことなく、内部部品が健全であるかを確認することができる放射性物質管理施設用電気装置及びその電子機器監視方法に関する。
【背景技術】
【０００２】
図５に示すように、放射線を計測する装置である放射線計測装置２０は、原子力発電所のような放射性物質を取扱う管理区域を有する放射性物質管理施設１００の各所（例えば、放射性物質管理施設１００の壁に設けられた収納ボックス１１０）に配置されている（非特許文献１、２、３参照）。
【０００３】
放射線計測装置のうち、放射線を検出し、検出結果をμＡやｐＡという極微少電流で出力する検出器２２や、検出器２２から出力された極微少電流を増幅させるプリアンプ２４等の極微少電流で作動するタイプの放射線計測装置２０は、放射線計測装置２０の内部に極微少電流で作動する電子回路を設置している。
【０００４】
検出器２２は、検出器２２の作動に必要な部品を収容する１つの内部空間を有する。検出器２２は、一般に、点検者が通常の姿勢で視認可能な位置に設置され、点検者の目線より、若干上の位置（例えば、床面から１．８ｍから２ｍくらいの範囲の高さ）に設置されている。また、検出器２２は、壁に対して垂直になるように設置されており、例えば、天井から下方向に延びるフレームの先端に設置されているものもある。このように、検出器２２は、一般に、放射線を計測しやすい位置に設置され、検出器２２の内部を開けるに適している位置には設置されていないことが多い。また、検出器２２が配管の近傍の放射線を測定するように、検出器２２を配管に対して直角の方向に設置したり、配管に沿わせた格好で設置したりする。
【０００５】
検出器２２は、μＡやｐＡといった特に微小の電流を扱うので、プリアンプ２４は、分電圧効果が影響されにくい検出器２２に近いところに設置される。プリアンプ２４の大きさは、例えば、縦が約３０ｃｍ、横が約１５ｃｍから２０ｃｍの範囲内にあり、厚みが約１５ｃｍである。
【０００６】
検出器２２やプリアンプ２４などの電子回路は、μＡやｐＡという極微小電流を扱う構造になっているので、湿気による錆が電子回路に発生すると、電子回路の電気抵抗が変化し、ひいては、電子回路を流れる極微小電流が大きく変化してしまい、放射線計測装置は、正確な放射線計測をすることができない。プリアンプ２４は、図示しない専用のボックスの内部にボルトのような取付手段によって堅固に組み付けられている。そして、専用のボックスも壁等にボルトのような取付手段によって堅固に固定されている。
【０００７】
そこで、放射線計測装置は、放射線計測装置の内部が密閉構造となるように、堅固なフレームで形成し、放射線計測装置の内部にシリカゲルのような吸湿剤を設置し、放射線計測装置の内部を乾燥状態に維持している。また、放射線計測装置の内部に吸湿剤を入れるための蓋が、パッキンを介してフレームに取り付けられている。
【０００８】
放射線計測装置の内部に設置した吸湿剤やパッキンは経年劣化するので、放射線計測装置の内部を乾燥状態に安定的に維持させるために、放射線計測装置を点検する点検者は、電子回路、吸湿剤、パッキン等の内部部品を定期的に交換する必要がある。
【０００９】
放射線計測装置は、放射線計測装置が堅固なフレームで形成されているので、一般に、その内部を視認することができない。そこで、点検者は、放射線計測装置の密閉状態を解いて、放射線計測装置の内部の部品を取り出してから、放射線計測装置の内部の部品の交換が必要か否かの判断をしなければならない。
【００１０】
点検者は、放射線計測装置の外部から放射線計測装置の内部部品の状態を視認することができないので、点検者は、放射線計測装置の内部部品の状態がたとえ健全であっても、放射線計測装置の交換周期に従って、放射線計測装置の密閉状態を強制的に解き、内部部品を取り出す。
【００１１】
点検者が放射線計測装置の内部の部品を取り出すとき、健全状態な部品であったのにもかかわらず、放射線計測装置の密閉状態を強制的に解くことによって、健全状態であった部品に不用意な湿分が取り付く恐れがある。また、点検者が放射線計測装置の内部の部品を取り出すときに、点検者が、その部品で、不用意に、内部の他の部品や回路を損傷させたり劣化促進させたりしてしまう恐れがある。特に、放射性物質管理施設の内部は、湿度の値が高いことが多いので、そのような状況で、放射線計測装置の密閉状態を強制的に解くことは、放射線計測装置の内部に設置していた吸湿剤が放射性物質管理施設の内部の湿気を吸ってしまい、吸湿剤本来の作用期間よりも早く効用が尽きてしまう。
【先行技術文献】
【非特許文献】
【００１２】
【非特許文献１】ｈｔｔｐ：／／ｗｗｗ．ｆｅｓｙｓ．ｃｏ．ｊｐ／ｓｏｕｇｏｕ／ｓｅｉｈｉｎ／ｐ０９／ｒａｄ．ｈｔｍｌ
【非特許文献２】ｈｔｔｐ：／／ｗｗｗ．ｆｅｓｙｓ．ｃｏ．ｊｐ／ｓｏｕｇｏｕ／ｓｅｉｈｉｎ／ｐ０９／ｐｄｆ／ＣＮＯ２１００−１ｂ．ｐｄｆ
【非特許文献３】ｈｔｔｐ：／／ｗｗｗ．ｊａｅａ．ｇｏ．ｊｐ／０４／ｔｕｒｕｇａ／ｊｔｕｒｕｇａ／ｒｅａｌｔｉｍｅ／ｕｎｃｈａｎｇｅ＿ｆｉｌｅ／ｅｘｐｌｎ＿１．ｈｔｍｌ
【発明の概要】
【発明が解決しようとする課題】
【００１３】
本発明の目的は、放射線計測装置の密閉状態を解くことなく、内部部品が健全であるかを確認することができる放射性物質管理施設用電気装置を提供することにある。
【課題を解決するための手段】
【００１４】
本発明に係る放射性物質管理施設用電気装置は、放射性物質管理施設に配置された筐体と、前記筐体の内部に配置された電子機器と、前記筐体の内部に配置され、前記筐体の内部の湿気を吸収する湿気吸収体と、前記筐体の内部に配置され、前記筐体の内部の湿度を検出する湿度センサー部と、前記湿度センサー部が検出した湿度のデータを表示する表示部と、を備える。
【００１５】
本発明に係る放射性物質管理施設用電気装置は、前記湿度センサー部からの測定値の履歴に基づいて前記湿気吸収体の交換時期を算出する制御算出部と、前記制御算出部によって算出された交換時期を報知する報知部とを備えてもよい。
【００１６】
前記湿度センサー部の出力信号線は、前記電子機器の出力信号線が通っているケーブルを通っていてもよい。
【００１７】
前記湿度センサー部は、複数の湿度センサー部で構成されており、前記制御算出部は、前記複数の湿度センサー部の計測値が互いに所定の値を越えて差があるとき、前記複数の湿度センサー部のいずれかが異常であることを報知するようにしてもよい。
【００１８】
前記湿度センサー部は、３以上の湿度センサーで構成されており、前記制御算出部は、前記３以上の湿度センサーの計測値のうち、近似した２以上の測定値を前記湿度とするようにしてもよい。
【００１９】
本発明に係る放射性物質管理施設用電気装置の電子機器監視方法は、前記筐体の内部の湿度を検出する測定工程と、検出された湿度のデータを表示する表示工程と、複数の湿度センサーの計測値が互いに所定の値を越えて差があるとき、前記複数の湿度センサーのいずれかが異常であることを報知する報知工程とを備える。
【００２０】
本発明に係る別の放射性物質管理施設用電気装置の電子機器監視方法は、前記筐体の内部の湿度を検出する測定工程と、前記３以上の湿度センサーの計測値のうち、近似した２以上の測定値を前記湿度として表示する表示工程とを備える。
【発明の効果】
【００２１】
本発明によれば、放射性物質管理施設用電気装置は、筐体の内部の湿度を検出する湿度センサー部と、湿度センサー部が検出した湿度のデータを表示する表示部とを備えるので、点検者は、表示部の湿度のデータを見るだけで、密閉した状態の筐体の内部の湿度を知ることができる。
【００２２】
また、制御算出部は、湿度センサー部からの測定値の履歴に基づいて湿気吸収体の交換時期を算出し、報知部は、制御算出部によって算出された交換時期を報知するので、適切な湿気吸収体の交換時期を知ることができ、筐体を開けての不必要な点検を行わないで済む。
【００２３】
また、湿度センサー部の出力信号線は、電子機器の出力信号線が通っているケーブルを通っているので、筐体の密封性を損なうことなく、新たに湿度センサー部を筐体内に設けることができる。
【００２４】
また、湿度センサー部は、複数の湿度センサー部で構成されており、制御算出部は、複数の湿度センサー部の計測値が互いに所定の値を越えて差があるとき、複数の湿度センサー部のいずれかが異常であることを報知するので、点検者は、湿度センサー部の故障を早期に発見することができる。
【００２５】
また、湿度センサー部は、３以上の湿度センサー部で構成されており、制御算出部は、３以上の湿度センサー部の計測値のうち、近似した２以上の測定値を湿度とするようにしている。一般に、同時期に製造された湿度センサー部が同時期に故障する可能性は、ほとんど無い。したがって、仮に、１つの湿度センサー部が故障したとしても、３以上の湿度センサー部のうち、近似した２以上の湿度センサー部からの測定値は、正常な測定値として扱うことができる。
【図面の簡単な説明】
【００２６】
【図１】本発明に係る放射性物質管理施設用電気装置の概要を示す概要図である。
【図２】図１に示した放射性物質管理施設用電気装置の電子機器の斜視図である。
【図３】本発明に係る別の放射性物質管理施設用電気装置の概要を示す概要図である。
【図４】図３に示した放射性物質管理施設用電気装置の電子機器の斜視図である。
【図５】従来の放射性物質管理施設用電気装置を示す斜視図である。
【発明を実施するための形態】
【００２７】
以下、本発明の実施形態について、図面を参照しながら詳細に説明する。
【００２８】
（第１実施形態）
図１を参照すると、本発明に係る放射性物質管理施設用電気装置が、全体に符号１０で示されている。
【００２９】
図１に示すように、放射性物質管理施設用電気装置１０は、本実施形態では、放射線計測装置であり、放射性物質管理施設１００の内部に設置された、放射線を検出する検出器２２と、検出器２２から出力された極微少電流を増幅させるプリアンプ２４とを備える。検出器２２及びプリアンプ２４は、電子機器２１を構成し、筐体５０の内部空間５０ａに気密的に収容されている。
【００３０】
プリアンプ２４は、検出器２２から出力された極微少電流を増幅させ、増幅させた電流を、ケーブル２８の内部のプリアンプ用出力信号線を介して、管理区域外に設置されている中央制御室４０の制御算出部４１に検出電流として出力するように構成されている。
【００３１】
中央制御室４０は、プリアンプ用出力信号線を介して出力される検出電流を受ける制御算出部４１と、検出電流に基づいて放射線の量を表示する指示部４２と、を備える。
【００３２】
管理区域内である放射性物質管理施設１００を監視する監視人は、管理区域外で、放射性物質管理施設１００の内部の放射線の量が異常でないかを指示部４２の表示で監視することができる。
【００３３】
内部空間５０ａには、検出器２２及びプリアンプ２４が湿気により誤動作しないようにするシリカゲル等の湿気吸収体２５と、内部空間５０ａの湿度を検出する湿度センサー部２６が収容されている。本実施形態では、湿度センサー部２６は、１つの湿度センサーで構成されている。
【００３４】
湿度センサー部２６は、内部空間５０ａの湿度を測定し、測定された湿度のデータを測定値として、ケーブル２８の内部の湿度データ用出力信号線を介して、管理区域外に設置されている中央制御室４０の制御算出部４１に出力するように構成されている。
【００３５】
中央制御室４０の制御算出部４１は、さらに、プリアンプ用出力信号線を介して出力される測定値を受信する。また、中央制御室４０は、さらに、測定値に基づいて湿度の値を表示する表示部４３と、湿度センサー部２６からの測定値の履歴を記憶する記憶部４４と、を備える。制御算出部４１は、さらに、記憶部４４に記憶された測定値の履歴に基づいて湿気吸収体２５の交換時期を算出することができるように構成されている。
【００３６】
中央制御室４０は、さらに、制御算出部４１によって算出された交換時期を報知する報知部４５を備える。
【００３７】
報知部４５は、表示部４３に交換時期が近づいた旨の表示や、警告音による音声で点検者に知らせることができるように構成されている。
【００３８】
記憶部４４には、制御算出部４１が、記憶部４４に記憶された測定値の履歴に基づいて湿気吸収体２５の交換時期を算出するために必要な算出データも記憶している。
【００３９】
監視人は、管理区域外で、検出器２２の内部空間５０ａの湿度の値が異常でないかを表示部４３の表示で監視する。本実施形態では、表示部４３は、指示部４２とは別体の表示手段としているが、表示部４３を備える代わりに、指示部４２の表示領域に、放射線の量と湿度とを同時に、又は、所定の時間（例えば、数秒や数分）が経過する毎に放射線の量と湿度とを選択的に切り替えて表示させてもよい。
【００４０】
図２に示すように、筐体５０は、内部が空洞の直方体の形状で所定の大きさの内部空間５０ａを有すると共に、この内部空間５０ａに連続した開口部５４を有する。さらに、筐体５０は、筐体５０の開口部５４にパッキン５８を介して気密的に組み付けられる蓋部５６を備える。筐体５０は、鉄やステンレスのような金属で形成されている。
【００４１】
蓋部５６は、パッキン５８を介して開口部５４に気密的に取り付けられる。より具体的には、開口部５４の周囲には筐体側フランジ部５１が筐体５０と一体的に形成されており、筐体側フランジ部５１には、複数の貫通孔が形成されている。また、パッキン５８は、筐体側フランジ部５１とほぼ同一の形状を有しており、このパッキン５８には、筐体側フランジ部５１に形成された複数の貫通孔と同じ位置に、それぞれ、複数の貫通孔が形成されている。
【００４２】
蓋部５６は凹状の断面形状を有し、その凹状の開口の周囲に蓋側フランジ部５７が形成されている。蓋側フランジ部５７は、筐体側フランジ部５１とほぼ同じ形状を有する。蓋側フランジ部５７には、筐体側フランジ部５１に形成された複数の貫通孔に、それぞれ、対応するように、複数の貫通孔が形成されている。図示の例では、筐体側フランジ部５１、蓋側フランジ部５７、パッキン５８に形成された貫通孔の数は、それらの四隅に対応するように、４つとなっている。
【００４３】
蓋部５６は、図示の例では、蓋側フランジ部５７、パッキン５８、筐体側フランジ部５１の貫通孔を貫通するボルト・ナット６２によって、確実に組み付けられる。筐体側フランジ部５１と蓋側フランジ部５７との間には、パッキン５８が挟み込まれているので、蓋部５６と筐体５０とは、気密的に、即ち、密閉状態で組み付けられる。
【００４４】
放射性物質管理施設用電気装置１０の検出器３２及びプリアンプ３４の湿気吸収体３２ｂ及び３４ｂは、以下のようにして取り扱われる。
【００４５】
まず、点検者は、管理区域外で、ボルト６２を完全に緩ませて、ボルトとナットとの螺合を解かし、蓋部５６を開ける。
【００４６】
次に、点検者は、筐体５０の内部空間５０ａに、湿気吸収体２５及び湿度センサー部２６を配置する。
【００４７】
次に、筐体側フランジ部５１にパッキン５８を配置し、さらに、パッキン５８に蓋側フランジ部５７を配置して、ボルト・ナット６２によって、気密状態になるように確実に取り付ける。
【００４８】
そして、点検者は、検出器２２、プリアンプ２４、湿気吸収体２５及び湿度センサー部２６を内部空間５０ａに配置した筐体５０を、管理区域内に設置する。
【００４９】
これにより、検出器２２及びプリアンプ２４は作動を開始し、管理区域内の放射線の検出を開始する。
【００５０】
点検者は、検出器２２及びプリアンプ２４が正常に作動しているかを、表示部４３に表示される湿度センサー部２６によって測定された湿度で確認する。
【００５１】
点検者は、これらの湿度から、湿気吸収体２５の経年劣化の度合いを簡単に把握することができる。
【００５２】
このように、放射性物質管理施設用電気装置１０の検出器２２及びプリアンプ２４を内部空間５０ａに備えた筐体５０は、内部空間５０ａにさらに、湿度センサー部２６を設けたので、筐体５０の内部空間５０ａの湿度を把握することができるので、湿気吸収体２５の交換時期を予想することができる。
【００５３】
（第２実施形態）
図３及び図４を参照すると、本発明に係る放射性物質管理施設用電気装置が、全体に符号１０ａで示されている。
【００５４】
第１実施形態の放射性物質管理施設用電気装置１０は、湿気吸収体が検出器２２及びプリアンプ２４の筐体の外に配置されていたが、第２実施形態の放射性物質管理施設用電気装置１０ａは、湿気吸収体が検出器２２及びプリアンプ２４の筐体の中に配置されている。
【００５５】
図３に示すように、放射性物質管理施設用電気装置１０ａは、放射線計測装置であり、放射性物質管理施設１００の内部に設置された、放射線を検出する検出器３２と、検出器３２から出力された極微少電流を増幅させるプリアンプ３４とを備える。
【００５６】
検出器３２の筐体８０ａの内部空間７０ａには、検出用の電子回路等を構成する電子機器としての電子機器部３２ａ、電子機器部３２ａが湿気により誤動作しないようにするシリカゲル等の湿気吸収体３２ｂ及び湿度センサー部３２ｃが収容されている。
【００５７】
検出器３２の湿度センサー部３２ｃは、検出器３２の内部空間７０ａの湿度を測定し、測定された湿度のデータを、プリアンプ３４へのケーブル、ケーブル２９の内部の湿度データ用出力信号線、及び、管理区域外に設置されている中央制御室４０の制御算出部４１を介して表示部４３に出力するように構成されている。点検人は、管理区域外で、検出器３２の内部空間７０ａの湿度の値が異常でないかを表示部４３の表示で監視することができる。
【００５８】
同様に、プリアンプ３４の筐体８０ｂの内部空間７０ｂには、プリアンプ用の電子回路等を構成する電子機器としての電子機器部３４ａ、電子機器部３４ａが湿気により誤動作しないようにするシリカゲル等の湿気吸収体３４ｂ及び湿度センサー部３４ｃが収容されている。
【００５９】
プリアンプ３４の湿度センサー部３４ｃは、プリアンプ３４の内部空間７０ｂの湿度を測定し、測定された湿度のデータを、ケーブル２９の内部の湿度データ用出力信号線、及び、管理区域外に設置されている中央制御室４０の制御算出部４１を介して表示部４３に出力するように構成されている。点検人は、管理区域外で、プリアンプ３４の内部空間７０ｂの湿度の値が異常でないかを表示部４３の表示で監視することができる。
【００６０】
制御算出部４１は、ケーブル２９の内部の湿度データ用出力信号線を介して出力される検出器３２及びプリアンプ３４の内部の湿度の測定値を受信するように構成されている。
【００６１】
記憶部４４は、湿度センサー部３２ｃ及び３４ｃからの測定値の履歴を記憶することができるように構成されている。制御算出部４１は、記憶部４４に記憶された測定値の履歴に基づいて湿気吸収体３２ｂ及び３４ｂの交換時期を算出することができるように構成されている。報知部４５は、制御算出部４１によって算出された交換時期を報知するように構成されている。報知部４５は、例えば、表示部４３に交換時期が近づいた旨を表示や音声で点検者に知らせる。
【００６２】
図４に示すように、検出器３２は、内部が空洞の直方体の形状で所定の大きさの内部空間７０ａを有すると共に、この内部空間７０ａに連続した開口部８４を有する筐体８０ａと、この筐体８０ａの開口部８４にパッキンを介して気密的に組み付けられる蓋部８６と、を備える。プリアンプ３４も、図示はしないが、検出器３２と同様の、筐体と蓋部とを備える。
【００６３】
蓋部８６は、パッキン８８を介して開口部８４に気密的に取り付けられる。より具体的には、開口部８４の周囲には筐体側フランジ部８１が筐体８０ａと一体的に形成されており、筐体側フランジ部８１には、複数の貫通孔が形成されている。また、パッキン８８は、筐体側フランジ部８１とほぼ同一の形状を有しており、このパッキン８８には、筐体側フランジ部８１に形成された複数の貫通孔と同じ位置に、それぞれ、複数の貫通孔が形成されている。
【００６４】
蓋部８６は凹状の断面形状を有し、その凹状の開口の周囲に蓋側フランジ部８７が形成されている。蓋側フランジ部８７は、筐体側フランジ部８１とほぼ同じ形状を有する。蓋側フランジ部８７には、筐体側フランジ部８１に形成された複数の貫通孔に、それぞれ、対応するように、複数の貫通孔が形成されている。図示の例では、筐体側フランジ部８１、蓋側フランジ部８７、パッキン８８に形成された貫通孔の数は、それらの四隅に対応するように、４つとなっている。
【００６５】
蓋部８６は、図示の例では、蓋側フランジ部８７、パッキン８８、筐体側フランジ部８１の貫通孔を貫通するボルト・ナット９２によって、確実に組み付けられる。
【００６６】
放射性物質管理施設用電気装置１０ａの検出器３２及びプリアンプ３４の湿気吸収体３２ｂ及び３４ｂは、以下のようにして取り扱われる。
【００６７】
まず、点検者は、管理区域外で、ボルト９２を完全に緩ませて、ボルトとナットとの螺合を解かし、検出器３２及びプリアンプ３４の蓋部８６を開ける。
【００６８】
次に、点検者は、検出器３２及びプリアンプ３４の内部に、湿気吸収体３２ｂ及び３４ｂを配置する。
【００６９】
次に、点検者は、再び、筐体側フランジ部８１にパッキン８８を配置し、さらに、パッキン８８に蓋側フランジ部８７を配置して、ボルト・ナット９２によって、気密状態になるように確実に取り付ける。
【００７０】
そして、点検者は、検出器３２及びプリアンプ３４を、管理区域内に設置する。
【００７１】
これにより、検出器３２及びプリアンプ３４は作動を開始し、管理区域内の放射線の検出を開始する。
【００７２】
点検者は、検出器３２及びプリアンプ３４の内部の電子機器部３２ａ及び３４ａが正常に作動しているかを、表示部４３に表示される、湿度センサー部３２ｃ及び３４ｃによって測定された湿度で確認する。
【００７３】
点検者は、これらの湿度から、湿気吸収体３２ｂ及び３４ｂの経年劣化の度合いを簡単に把握することができる。
【００７４】
このように、放射性物質管理施設用電気装置１０ａの検出器３２及びプリアンプ３４は、それぞれ、内部空間７０ａ及び７０ｂに湿度センサー部３２ｃ及び３４ｃを備えたので、検出器３２の内部の湿度を把握することができ、湿気吸収体３２ｂ及び３４ｂの交換時期を予想することができる。
【００７５】
（その他の実施形態）
なお、湿度センサー部２６は、１つの筐体５０の中に、１つの湿度センサー部で構成されているとして説明したが、これに限定されるものではなく、複数の湿度センサー部、特に、３以上の湿度センサー部を備えていてもよい。そのようにすることで、複数の湿度センサー部の計測値が互いに所定の値を越えて差があるとき、複数の湿度センサー部のいずれかが異常であることを報知することができるので、点検者は、湿度センサー部の故障を早期に発見することができる。
【００７６】
また、第１実施形態と同様、湿度センサー部３２ｃは、１つの筐体８０ａの中に、１つの湿度センサー部で構成されているとして説明したが、これに限定されるものではなく、複数の湿度センサー部、特に、３以上の湿度センサー部を備えていてもよい。そのようにすることで、複数の湿度センサー部の計測値が互いに所定の値を越えて差があるとき、複数の湿度センサー部のいずれかが異常であることを報知することができるので、点検者は、湿度センサー部の故障を早期に発見することができる。湿度センサー部３４ｃも同様に、複数の湿度センサーを備えてもよい。
【００７７】
また、湿度センサー部は、３以上の湿度センサー部で構成されていれば、３以上の湿度センサー部の計測値のうち、近似した２以上の測定値を湿度と推定することができる。一般に、同時期に製造された湿度センサー部が同時期に故障する可能性は、ほとんど無い。したがって、仮に、１つの湿度センサー部が故障したとしても、３以上の湿度センサー部のうち、近似した２以上の湿度センサー部からの測定値は、正常な測定値として扱うことができる。
【００７８】
また、筐体５０の内部空間５０ａには湿度センサー部２６を設けたとして説明したが、これに限定されず、さらに、筐体５０の内部空間５０ａに撮影部を設け、湿気吸収体の経年劣化を画像によって確認できるようにしてもよい。
【００７９】
また、湿度センサー部２６が測定した湿度の値を表示する表示部を検出器２２の内部空間５０ａに設け、筐体５０の外部から視認可能にしてもよい。
【００８０】
また、筐体５０は、全体を視認可能な材料、例えば、アクリルで形成されていてもよいし、筐体５０の外部から湿気吸収体２５を視認可能な大きさの窓部を設け、窓部にアルカリのような透過性部材で密封し、湿気吸収体２５を視認可能にしてもよい。
【符号の説明】
【００８１】
１０、１０ａ  放射性物質管理施設用電気装置
２０  放射線計測装置
２１  電子機器
２２  検出器
２４  プリアンプ
２５  湿気吸収体
２６  湿度センサー部
３２  検出器
３２ａ  電子機器部
３２ｂ  湿気吸収体
３２ｃ  湿度センサー部
３４  プリアンプ
３４ａ  電子機器部
３４ｂ  湿気吸収体
３４ｃ  湿度センサー部
４０  中央制御室
４１  制御算出部
４２  指示部
４３  表示部
４４  記憶部
４５  報知部
５０  筐体
５０ａ  内部空間
７０ａ  内部空間
７０ｂ  内部空間
８０ａ  筐体
８０ｂ  筐体
１００  放射性物質管理施設
１１０  収納ボックス
【図１】
2011196875.tif 000003
【図２】
2011196875.tif 000004
【図３】
2011196875.tif 000005
【図４】
2011196875.tif 000006
【図５】
2011196875.tif 000007